(57)【特許請求の範囲】
【請求項１】
操作面の反対側である反操作面の略中央に中央駆動部を有し、かつ前記中央駆動部の外側に周方向に所定の間隔を存して配置された複数の取付部を有する操作体と、固定端側が前記中央駆動部の近傍で前記操作体に連結されて自由端側には押圧突起を有し、この押圧突起の基端面が前記操作体の前記反操作面とクリアランスを存して対向する弾性変形可能な複数の弾性腕と、前記複数の取付部を固定して前記操作体を揺動可能に支持する支持部材と、この支持部材の底面側に組み込まれて前記中央駆動部を介して押圧駆動される第１のスイッチ素子と、この第１のスイッチ素子の周囲に配設されて前記複数の押圧突起を介してそれぞれが押圧駆動される複数の第２のスイッチ素子とを備え、前記操作体を揺動操作することにより、該操作体が前記押圧突起の基端面に当接して該押圧突起を前記第２のスイッチ素子に向けて押し込むようにしたことを特徴とする揺動操作型スイッチ装置。
【請求項２】
請求項１の記載において、前記複数の弾性腕をその固定端側が連結されている一体品となしたことを特徴とする揺動操作型スイッチ装置。
【請求項３】
請求項１または２の記載において、前記複数の取付部を前記操作体の前記反操作面に突出形成すると共に、これら取付部の先端側をそれぞれ固定するための複数のヒンジ部を前記支持部材に設けたことを特徴とする揺動操作型スイッチ装置。
【請求項４】
請求項３の記載において、前記複数のヒンジ部が前記支持部材の中央部側から放射状に延びる片持ち梁状であり、各ヒンジ部の自由端側に前記取付部が固定されることを特徴とする揺動操作型スイッチ装置。
【請求項５】
請求項４の記載において、前記支持部材に前記ヒンジ部が突設されて前記押圧突起が挿通される板状部を設け、この板状部に比して各ヒンジ部を前記操作体の前記反操作面に近付けたことを特徴とする揺動操作型スイッチ装置。
【請求項６】
請求項１〜５のいずれかの記載において、前記支持部材に前記中央駆動部と対向して弾性的に昇降可能な押圧子を設け、この押圧子を前記中央駆動部にて押し込んで前記第１のスイッチ素子を押圧駆動するようにしたことを特徴とする揺動操作型スイッチ装置。
【請求項７】
請求項６の記載において、前記支持部材に前記押圧子の略周方向に沿って延びて該押圧子を外側から保持する複数本の腕部を設けたことを特徴とする揺動操作型スイッチ装置。
【発明の詳細な説明】
【０００１】
【発明の属する技術分野】
本発明は、操作体を揺動操作すると複数のスイッチ素子を選択的にオン動作させることができ、また操作体の略中央を押圧操作すると別のスイッチ素子をオン動作させることができる、センタープッシュ機能付きの揺動操作型スイッチ装置に関する。
【０００２】
【従来の技術】
センタープッシュ機能付きの揺動操作型スイッチ装置としては、揺動操作可能かつ押圧操作可能に支持された平面視略円形の操作体と、この操作体の底面（反操作面）に対向するように配置させたタクトスイッチ等からなる複数のスイッチ素子とを備えた構成のものが一般的に知られている。このものは、操作体を所定方向へ傾けるという揺動操作を行うと、下降した側で操作体が対向するスイッチ素子を押し込むため、操作体の外周部の下方に配設されている複数のスイッチ素子を選択的にオン動作させることができる。また、操作体の略中央を押圧操作すると、その下方に配設されている別のスイッチ素子をオン動作させることができるので、このスイッチ素子を例えば選択したモードを確定する確定スイッチとなすことにより、多機能でコンパクトなスイッチ装置が得られる。
【０００３】
ところで、この種のスイッチ装置においては、操作体の略中央を押し込むと該操作体の外周部も一体的に下降するので、操作体の外周部の下方に配設されているスイッチ素子が、センタープッシュ操作時に誤ってオンしないように配慮する必要がある。かかる誤動作を防止するため、従来より、操作体の底面中央部はその下方に位置するスイッチ素子（確定スイッチ）上に載せておくが、操作体の外周部とその下方に位置するスイッチ素子（選択スイッチ）との間には十分な間隙を確保しておくという技術が提案されている。このような間隙が設けてあれば、センタープッシュ操作時に、操作体の外周部が該間隙と同程度下降しても選択スイッチをオンさせる心配がなくなるので、確定スイッチのオン動作時に懸念される選択スイッチの誤動作を防止しやすく、また、確定スイッチの動作ストロークを極端に小さく設定する必要がなくなるので操作性も良好となる。なお、操作体の揺動操作は確定スイッチ上を支点として行われるので、確定スイッチには、かかる揺動操作によって座屈する恐れのないタクトばね等が用いられている。
【０００４】
【発明が解決しようとする課題】
上述した従来技術のように、操作体の外周部とその下方に位置するスイッチ素子との間に十分な間隙が確保してあれば、該スイッチ素子がセンタープッシュ操作時に誤動作する恐れは少なくなるが、このような間隙を設けると、操作体の外周部を該間隙上で支持しておくために、操作体の周囲に支持部材を配置させなければならなくなる。それゆえ、操作体のすぐ外側に別の部品を設置することが困難になる等、スイッチ装置の平面的なスペースファクタが悪くなってしまうという問題があり、また、スイッチ装置の小型化を図る上でも該支持部材が障害となってしまうという問題があった。
【０００５】
本発明はこのような従来技術の課題に鑑みてなされたもので、その目的は、誤動作を起こしにくいという信頼性を確保しつつ、スペースファクタが良好で小型化も図りやすいセンタープッシュ機能付きの揺動操作型スイッチ装置を提供することにある。
【０００６】
【課題を解決するための手段】
本発明は、操作面の反対側である反操作面の略中央に中央駆動部を有し、かつ前記中央駆動部の外側に周方向に所定の間隔を存して配置された複数の取付部を有する操作体と、固定端側が前記中央駆動部の近傍で前記操作体に連結されて自由端側には押圧突起を有し、この押圧突起の基端面が前記操作体の前記反操作面とクリアランスを存して対向する弾性変形可能な複数の弾性腕と、前記複数の取付部を固定して前記操作体を揺動可能に支持する支持部材と、この支持部材の底面側に組み込まれて前記中央駆動部を介して押圧駆動される第１のスイッチ素子と、この第１のスイッチ素子の周囲に配設されて前記複数の押圧突起を介してそれぞれが押圧駆動される複数の第２のスイッチ素子とを備え、前記操作体を揺動操作することにより、該操作体が前記押圧突起の基端面に当接して該押圧突起を前記第２のスイッチ素子に向けて押し込むように構成した。
【０００７】
このような構成のスイッチ装置は、弾性腕の押圧突起を覆う操作体の外周部を少なくとも前記クリアランス分だけ下降させないと、操作体を該押圧突起の基端面に当接させることができず、該押圧突起を介して第２のスイッチ素子を押圧駆動するためには前記外周部をさらに下降させなければならない。したがって、操作体の略中央を押し込んで第１のスイッチ素子をオン動作させるセンタープッシュ操作時に、操作体の外周部が前記クリアランス分と同程度下降したとしても第２のスイッチ素子が誤ってオンする恐れはなく、高い信頼性が得られる。また、操作体の外周部が前記取付部を介して前記支持部材上に支持される構成にしてあり、各弾性腕の押圧突起をそれぞれ対応する第２のスイッチ素子上に載せておくこともできるので、操作体や弾性腕の外側に別途支持部材を配置させて支持する必要がなく、それゆえ平面的なスペースファクタが良好となりスイッチ装置の小型化も図りやすくなる。
【０００８】
また、本発明は、前記複数の弾性腕をその固定端側が連結されている一体品となすことが好ましく、このようにすると、部品点数が削減できて低コスト化が図れると共に、各弾性腕の押圧突起を位置精度よく配置させることができる。
【０００９】
また、本発明は、前記複数の取付部を前記操作体の反操作面に突出形成すると共に、これら取付部の先端側をそれぞれ固定するための複数のヒンジ部を前記支持部材に設けることが好ましく、これにより、操作体を揺動可能に支持する支持構造が単純化できて組立性も良好となる。
【００１０】
また、本発明は、前記複数のヒンジ部が前記支持部材の中央部側から放射状に延びる片持ち梁状となし、各ヒンジ部の自由端側に前記取付部が固定されるようにすることが好ましく、これにより、操作体を揺動操作するときにヒンジ部を弾性変形させやすく、それゆえ押し込んだ側の取付部を大きく下降させてストロークが稼げると共に、押し込んだ側とは逆側に位置する取付部を無理なく上昇させることができ、ヒンジ部との連結不良を起こしにくくすることができる。
【００１１】
また、本発明は、前記支持部材に前記ヒンジ部が突設されて前記押圧突起が挿通される板状部を設け、この板状部に比して各ヒンジ部を前記操作体の反操作面に近付けることが好ましく、これにより、操作体を揺動操作する際の押圧ストロークをさらに増大させることができると共に、取付部とヒンジ部との連結の信頼性も一層向上させることができる。
【００１２】
また、本発明は、前記支持部材に前記中央駆動部と対向して弾性的に昇降可能な押圧子を設け、この押圧子を前記中央駆動部にて押し込んで前記第１のスイッチ素子を押圧駆動するように構成することが好ましく、これにより、第１のスイッチ素子にタクトばねを使用した場合においても、このタクトばねに塑性変形やへたりが起こりにくくなって長寿命化が期待できる。
【００１３】
また、本発明は、前記支持部材に前記押圧子の略周方向に沿って延びて該押圧子を外側から保持する複数本の腕部を設けることが好ましく、これにより、押圧子を上下方向にまっすぐ昇降させやすくなり、第１のスイッチ素子に使用されるタクトばねのさらなる長寿命化を図ることができる。
【００１４】
【発明の実施の形態】
以下、本発明による揺動操作型スイッチ装置の実施形態例を図面を参照しつつ説明すると、図１は該スイッチ装置の平面図、図２は該スイッチ装置の側面図、図３は図１のＡ−Ａ線に沿う断面図、図４は図１のＢ−Ｂ線に沿う断面図、図５は該スイッチ装置の操作体を示す平面図、図６は該操作体の断面図、図７は該スイッチ装置のアクチュエータを示す平面図、図８は該アクチュエータの断面図、図９は該スイッチ装置の支持部材を示す平面図、図１０は該支持部材の断面図、図１１は該スイッチ装置のメンブレンスイッチやスペーサを示す平面図、図１２は図１１に示す部材の断面図である。
【００１５】
これらの図に示す揺動操作型スイッチ装置は、ユーザによってセンタープッシュ操作と揺動操作とが行われる操作体１と、この操作体１の底面（反操作面）側に一体化されて４本の弾性腕２を有する十字形状のアクチュエータ３と、片持ち梁状のヒンジ部４ａを有して操作体１を揺動可能に支持する支持部材４と、操作体１のセンタープッシュ操作や揺動操作によって押圧駆動されるメンブレンスイッチ５および複数のタクトばね６と、これらのタクトばね６を収納しているスペーサ７と、このスペーサ７上に貼着されて各タクトばね６を蓋閉・固定している粘着シート８と、これらの各部材を搭載している固定板９とで構成されている。
【００１６】
操作体１は合成樹脂によって成形されており、その上面は円形の操作面となっている。この操作体１の反操作面側（操作面の反対側の面）には、図３〜図６に示すように、略中央に中央駆動部１ａが突設されていると共に、外周縁に環状壁１ｂが垂設されており、かつ、中央駆動部１ａのすぐ外側には等間隔な４か所にかしめ突起１ｃが垂設されており、環状壁１ｂのすぐ内側には等間隔な４か所に凸状の取付部１ｄが垂設されている。
【００１７】
アクチュエータ３も合成樹脂により成形されており、図７，８に示すように、９０度の等間隔に配置され、操作体１の径方向に延びる４本の弾性腕２の固定端どうしを環状部３ａにて連結した形状を呈する。各弾性腕２の自由端側には下向きの押圧突起２ａが形成されており、図３に示すように、各押圧突起２ａの基端面（上端面）が操作体１の反操作面とクリアランスＣを存して対向している。また、環状部３ａには等間隔な４か所にかしめ孔３ｂが形成されており、各かしめ孔３ｂに操作体１のかしめ突起１ｃの先端部を挿通した後、該先端部を熱溶着や冷間かしめ等によって環状部３ａに固定することにより、各弾性腕２はその固定端側が操作体１の内周部に固定されて弾性変形可能な状態となる。なお、アクチュエータ３は操作体１の環状壁１ｂの内側に組み込まれるので、操作体１に一体化したアクチュエータ３は外部から見えないようになっている。
【００１８】
支持部材４も合成樹脂により成形されており、図９，１０に示すように、その平坦な板状部４ｂの略中央には３本の腕部４ｃによって外側から保持された下向き凸状の押圧子４ｄが形成されており、この押圧子４ｄの周囲には、板状部４ｂの上面よりも若干上方に位置する前記ヒンジ部４ａが等間隔な４か所に形成されている。押圧子４ｄは操作体１の中央駆動部１ａの下方に配置され、各腕部４ｃが押圧子４ｄの略周方向に沿って延びているため、押圧子４ｄは中央駆動部１ａを載せたまま弾性的に昇降可能である。各ヒンジ部４ａは支持部材４の中央部側から放射状に延びる片持ち梁状の弾性片であって、各ヒンジ部４ａの自由端側のかしめ孔４ｅにそれぞれ操作体１の取付部１ｄの先端部を挿通した後、該先端部を熱溶着や冷間かしめ等によってヒンジ部４ａに固定することにより、操作体１は支持部材４に揺動可能に支持された状態となる。また、この支持部材４の板状部４ｂには、各ヒンジ部４ａの近傍に、各弾性腕２の押圧突起２ａの先端部を遊挿するための挿通孔４ｆが穿設されていると共に、板状部４ｂの下面の４か所にボス４ｇが垂設されている。なお、支持部材４の板状部４ｂは、図１〜図４に示すように、操作体１よりも若干大きい。
【００１９】
図３，４および図１１，１２に示すように、メンブレンスイッチ５は固定板９上に載置されており、このメンブレンスイッチ５上にスペーサ７や複数のタクトばね６が載置されている。固定板９には４か所に取付孔９ａが穿設されており、これらの取付孔９ａにボス４ｇの先端部を挿通した後、該先端部を熱溶着や冷間かしめ等によって固定板９に固定することにより、操作体１を揺動可能に支持する支持部材４を固定板９上に位置決め・固定することができる。なお、固定板９は合成樹脂製の板であるが、所望の剛性を確保できれば金属板であってもよい。メンブレンスイッチ５には、一対のフィルムの間で固定接点と可動接点とを接離させる接点部が複数個所に設けられており、これら接点部上にそれぞれタクトばね６を配置させることで、計５か所にタクトスイッチを備えた構成としている。すなわち、図示の如くタクトばね６は、４本の弾性腕２の各押圧突起２ａの下方と、中央駆動部１ａの下方（押圧子４ｄの下方）とに配設してあり、押圧突起２ａや中央駆動部１ａを介して所望のタクトばね６を押し込むことにより、メンブレンスイッチ５の対応する接点部をオン動作させることができる。合成樹脂製のスペーサ７には、中央駆動部１ａの下方に位置するタクトばね６が収納される中央空所７ａと、各押圧突起２ａの下方に位置する４個のタクトばね６が収納される環状空所７ｂとが形成されており、これらの空所７ａ，７ｂは粘着シート８によって覆われている。なお、タクトばね６はドーム状にフォーミングされた金属製の板ばねであり、その中央部が押し込まれるとクリック感を生起して反転する。
【００２０】
次に、上述した構成のスイッチ装置の動作について、主に図３，４を参照しつつ説明する。ただし、図３，４は、操作体１がいずれの方向へも揺動操作されておらずセンタープッシュ操作も行われていない無負荷状態を示している。かかる無負荷状態において、操作体１の取付部１ｄが支持部材４のヒンジ部４ａに固定されているとともに、弾性腕２の各押圧突起２ａはその下方のタクトばね６に支持されているので、操作体１は傾きのない水平な姿勢に保持されている。
【００２１】
まず、ユーザが任意の押圧突起２ａの上方で操作体１の操作面の外周部を押し込んだ場合の動作について説明する。いま、例えば図３における操作体１の右端をユーザが押し込んだとすると、操作体１はその中央駆動部１ａと支持部材４の押圧子４ｄとの当接部位を支点として図示時計回りに傾倒する揺動動作を行い、クリアランスＣを保って対向していた図示右側の押圧突起２ａの基端面（上端面）と操作体１の反操作面（内底面）とが当接し、押圧突起２ａが操作体１の反操作面によって押し込まれるようになり、それに伴って図示右側の弾性腕２の押圧突起２ａが遊挿されている挿通孔４ｆ内を下降する。このとき、操作体１の反操作面側では、該押圧突起２ａの近傍に位置する取付部１ｄが該取付部１ｄを固定しているヒンジ部４ａを撓ませながら下降する。そして、該押圧突起２ａが挿通孔４ｆ内を所定量下降した時点で、その下方に配置されているタクトばね６の中央部が反転するので、該タクトばね６の下方に位置するメンブレンスイッチ５の接点部の固定接点が可動接点に接触し、よって該タクトばね６および該接点部からなるタクトスイッチは、クリック感が生起された直後にスイッチオフ状態からスイッチオン状態へと切り替わる。また、かかるスイッチオン状態において操作体１の外周部に対する前記押し込み力を除去すると、反転していたタクトばね６と下方へ撓んでいたヒンジ部４ａとが自己復帰力で元の形状に戻るので、下降していた押圧突起２ａや取付部１ｄが押し上げられて、操作体１は図３に示す水平な姿勢に戻り、スイッチオンしていたタクトスイッチもスイッチオフ状態となる。なお、ユーザが他の押圧突起２ａの上方で操作体１の操作面の外周部を押し込んだ場合の動作も同様であり、その押圧突起２ａの下方に位置するタクトスイッチのオン・オフ切り替えが行われる。
【００２２】
また、ユーザが操作体１の操作面の中央部を押し込むというセンタープッシュ操作を行った場合には、４つの取付部１ｄが各取付部１ｄを固定しているヒンジ部４ａをほぼ均等に撓ませながら下降し、操作体１の中央駆動部１ａが支持部材４の各腕部４ｃに保持されている押圧子４ｄを真下に押し込んで下降させる。そして、中央駆動部１ａが押圧子４ｄを所定量押し込んだ時点で、その下方に配置されているタクトばね６の中央部が反転するので、該タクトばね６の下方に位置するメンブレンスイッチ５の接点部の固定接点が可動接点に接触し、よって該タクトばね６および該接点部からなるタクトスイッチは、クリック感が生起された直後にスイッチオフ状態からスイッチオン状態へと切り替わる。ただし、このタクトスイッチをオン動作させるのに必要な中央駆動部１ａの下降量が前記クリアランスＣよりも大きくならないように設定してあるので、かかるセンタープッシュ操作時に、操作体１の外周部が押圧突起２ａの下方のタクトスイッチを誤ってオンさせてしまう恐れはない。また、かかるスイッチオン状態において操作体１の中央部に対する前記押し込み力を除去すると、反転していたタクトばね６と下方へ撓んでいた各腕部４ｃ及び各ヒンジ部４ａとが自己復帰力で元の形状に戻るので、下降していた押圧子４ｄおよび中央駆動部１ａが押し上げられて、操作体１は図３に示す姿勢に戻り、スイッチオンしていたタクトスイッチもスイッチオフ状態となる。
【００２３】
このように本実施形態例に係るスイッチ装置は、操作体１と該操作体１に一体化した弾性腕２の押圧突起２ａとの間に十分なクリアランスＣが確保してあるので、センタープッシュ操作時に押圧突起２ａを介してタクトスイッチを誤動作させてしまう心配がなく、信頼性が向上している。しかも、操作体１の外周部は取付部１ｄを介して支持部材４上に支持されており、また各弾性腕２の押圧突起２ａはそれぞれ対応するタクトばね６上に搭載されているので、操作体１や弾性腕２の外側に、スペースファクタや小型化を損なう支持部材を別途配設する必要がない。さらに、弾性腕２を有するアクチュエータ３を操作体１に組み付ける構成にしてあるため、スイッチ装置の本体部分は共通化して操作体１のみを取り替えることにより、デザインの変更を安価かつ容易に行うことができる。なお、複数の弾性腕２を個別に操作体１に組み付ける構成にしてもよいが、本実施形態例のように、複数の弾性腕２の固定端側を環状に連結してアクチュエータ３となしておけば、部品点数が削減できて低コスト化が図れると共に、各弾性腕２の押圧突起２ａを位置精度よく配置させることができる。
【００２４】
また、本実施形態例においては、操作体１の反操作面（操作面の反対側の面）に突出形成した複数の取付部１ｄを支持部材４のヒンジ部４ａに固定することによって、操作体１が支持部材４に揺動可能に支持されるようにしてあるので、操作体１の支持構造が単純で信頼性に優れ、組立性も良好である。しかも、本実施形態例では、支持部材４の中央部側から放射状に延びる片持ち梁状のヒンジ部４ａの自由端側に取付部１ｄを固定しているので、操作体１を揺動操作するときにヒンジ部４ａを弾性変形させやすく、それゆえ押し込んだ側の取付部１ｄを大きく下降させてストロークが稼げると共に、押し込んだ側とは逆側に位置する取付部１ｄを無理なく上昇させることができてヒンジ部４ａとの連結不良を起こしにくい。この場合、本実施形態例のように、各ヒンジ部４ａを板状部４ｂよりも若干上方に位置させた形状の支持部材４を用いることによって、操作体１を揺動操作する際の押圧ストロークをさらに増大させることができると共に、取付部１ｄとヒンジ部４ａとの連結の信頼性も一層向上する。
【００２５】
また、本実施形態例においては、支持部材４に弾性的に昇降可能な押圧子４ｄを設けて、センタープッシュ操作時に、この押圧子４ｄを介して操作体１の中央駆動部１ａが下方のタクトばね６を押圧駆動するようにしてあるので、このタクトばね６が不所望位置や不所望方向に押し込まれて塑性変形したり、へたりによる動作不良を引き起こす可能性が低く、それゆえ長寿命化が期待できる。しかも、本実施形態例では、支持部材４に、押圧子４ｄの略周方向に沿って延びる複数本の腕部４ｃを設けて、これらの腕部４ｃで押圧子４ｄを外側から保持する構成にしてあるので、タクトばね６が不所望方向の力を受けないよう押圧子４ｄを上下方向にまっすぐ昇降させやすく、小型化にも好適である。
【００２６】
なお、上述した実施形態例では、防水性に配慮してメンブレンスイッチ５上にタクトばね６を配設してなるスイッチ素子を採用しているが、固定接点を有するフレキシブル基板等の基板上に可動接点を兼ねたタクトばねを配設する構成にしてもよい。
【００２７】
また、上述した実施形態例では、各弾性腕２の押圧突起２ａの先端部を遊挿するため、支持部材４に挿通孔４ｆが穿設してあるが、孔ではなく切欠きに押圧突起２ａを遊挿する構成にしてもよい。
【００２８】
【発明の効果】
本発明は、以上説明したような形態で実施され、以下に記載されるような効果を奏する。
【００２９】
操作体の中央部側に複数の弾性腕の固定端を連結し、各弾性腕の押圧突起と操作体の反操作面（操作面の反対側の面）との間に所定のクリアランスを確保しているので、操作体の略中央を押し込むセンタープッシュ操作時に、操作体の外周部が該クリアランス分と同程度下降したとしてもその下方のスイッチ素子が誤ってオンする恐れはなく、よって誤動作を起こしにくい高い信頼性が得られる。また、操作体の外周部を取付部を介して支持部材上に支持しておくことができると共に、各弾性腕の押圧突起をそれぞれ対応するスイッチ素子上に載せておくことができるので、操作体や弾性腕の外側に別途支持部材を配置させて支持する必要がなく、よって平面的なスペースファクタが良好となりスイッチ装置の小型化も図りやすい。
【図面の簡単な説明】
【図１】本発明の実施形態例に係る揺動操作型スイッチ装置の平面図である。
【図２】該スイッチ装置の側面図である。
【図３】図１のＡ−Ａ線に沿う断面図である。
【図４】図１のＢ−Ｂ線に沿う断面図である。
【図５】該スイッチ装置の操作体を示す平面図である。
【図６】該操作体の断面図である。
【図７】該スイッチ装置のアクチュエータを示す平面図である。
【図８】該アクチュエータの断面図である。
【図９】該スイッチ装置の支持部材を示す平面図である。
【図１０】該支持部材の断面図である。
【図１１】該スイッチ装置のメンブレンスイッチやスペーサを示す平面図である。
【図１２】図１１に示す部材の断面図である。
【符号の説明】
１  操作体
１ａ  中央駆動部
１ｃ  かしめ突起
１ｄ  取付部
２  弾性腕
２ａ  押圧突起
３  アクチュエータ
３ａ  環状部
４  支持部材
４ａ  ヒンジ部
４ｂ  板状部
４ｃ  腕部
４ｄ  押圧子
４ｆ  挿通孔
５  メンブレンスイッチ
６  タクトばね
７  スペーサ
８  粘着シート
９  固定板
Ｃ  クリアランス
【図１】
0003857486.tif 000002
【図２】
0003857486.tif 000003
【図３】
0003857486.tif 000004
【図４】
0003857486.tif 000005
【図５】
0003857486.tif 000006
【図６】
0003857486.tif 000007
【図７】
0003857486.tif 000008
【図８】
0003857486.tif 000009
【図９】
0003857486.tif 000010
【図１０】
0003857486.tif 000011
【図１１】
0003857486.tif 000012
【図１２】
0003857486.tif 000013